(57)【要約】【課題】  省電力を図りつつＧＰＳ機能を有効とする情報処理装置および該情報処理装置にて実行される動作モードの切替え方法を提供する。【解決手段】  エリア指定アプリケーションのウィンドウに表示されるマップ上に、スリープモードからユーザはアクティブモードに移行させるエリアｄ１を指定し（ステップ  Ｓ１０２）エリアｄ１の情報はＲＡＭ１７２に記憶される（ステップ  Ｓ１０３）。動作モードがスリープモードであるとともに（ステップ  Ｓ１０４）、ＧＰＳ処理部１７１がＧＰＳ信号を処理することで算出しＲＡＭ１７２に記憶されたＰＤＡ１が存在する位置情報がエリア指定アプリケーションによって指定されたエリア情報と一致した場合（ステップ  Ｓ１０５  Ｙｅｓ）、スリープモードからアクティブモードに移行する（ステップ  Ｓ１０６）。【選択図】  図３
2006017498.tif 000002
【特許請求の範囲】
【請求項１】
第１の動作モードおよび第２の動作モードのうちの何れかの動作モードにて動作する情報処理装置において、
ＧＰＳ信号を受信する受信部と、
前記受信部にて受信されたＧＰＳ信号に基づいて位置情報を取得する処理部と、
前記処理部にて取得された位置情報を記憶する記憶部と、
前記記憶部に記憶された位置情報を表示する表示部と、
該情報処理装置が前記第１の動作モードで動作中には前記処理部と前記記憶部とに電源を供給し、該情報処理装置が前記第２の動作モードで動作中には前記処理部と前記記憶部と前記表示部とに電源を供給する電源制御部と、
を具備することを特徴とする情報処理装置。
【請求項２】
本情報処理装置の存在を示すとともに前記第１の動作モードから前記第２の動作モードに移行する位置情報を設定する設定手段とをさらに有し、
前記処理部は前記設定手段にて設定した位置情報と前記記憶部に記憶された位置情報とを比較し、これらの位置情報が一致した場合、前記第１の動作モードから前記第２の動作モードに移行させるように前記電源制御部を制御することを特徴とする請求項１記載の情報処理装置。
【請求項３】
前記表示部は、前記電源制御部によって前記第１の動作モードから前記第２の動作モードに移行された後、前記記憶部に記憶されている位置情報を表示することを特徴とする請求項２記載の情報処理装置。
【請求項４】
前記処理部は前記設定手段にて設定した位置情報と前記記憶部に記憶された位置情報とを比較し、これらの位置情報が一致しなくなった場合、前記第２の動作モードから前記第１の動作モードに移行させるように前記電源制御部を制御することを特徴とする請求項２記載の情報処理装置。
【請求項５】
前記処理部および前記記憶部は、本情報処理装置に脱着可能なＧＰＳ装置に設けられることを特徴とする請求項１記載の情報処理装置。
【請求項６】
ＧＰＳ信号を受信する受信部と、前記受信部にて受信されたＧＰＳ信号に基づいて位置情報を取得する処理部と、前記処理部にて得られた位置情報を記憶する記憶部と、前記記憶部に記憶された前記位置情報を表示する表示部とを具備する情報処理装置にて実行される動作モードの切替え方法において、
前記処理部と前記記憶部とに電源を供給する第１の動作モードおよび前記処理部と前記記憶部と前記表示部とに電源を供給する第２の動作モードのうちの何れかの動作モードに切替える切替えステップと、
前記切替えステップにて前記第２の動作モードに切替えられた場合、前記記憶部に記憶された位置情報を前記表示部に表示させる表示ステップと、
を具備することを特徴とする動作モードの切替え方法。
【請求項７】
本情報処理装置の存在を示すとともに前記第１の動作モードから前記第２の動作モードに移行する位置情報を設定する設定ステップをさらに有し、
前記切替えステップは、前記設定ステップにて前記処理部が設定した位置情報と前記記憶部に記憶された位置情報とを比較し、これらの位置情報が一致した場合、前記第１の動作モードから前記第２の動作モードに移行させるステップであることを特徴とする請求項６記載の動作モードの切替え方法。
【発明の詳細な説明】
【技術分野】
【０００１】
本発明は、ＧＰＳ（Global Positioning System：全地球測位システム）機能が搭載された情報処理装置および動作モードの切替え方法に関する。
【背景技術】
【０００２】
近年、ＧＰＳ人工衛星から発信されるＧＰＳ用の電波を受信し、現在の位置を求め、その位置を表示することが可能な例えばＰＤＡ（Personal Digital Assistant：個人用デジタル補助装置）または携帯型電話といった携帯型情報処理機器が開発されている。
【０００３】
テレマティクス通信装置のような移動体通信装置において、無線ＣＰＵおよび制御部ＣＰＵによってサービス処理を行う場合、無線ＣＰＵによって制御部ＣＰＵをアクティブ状態とし、さらに無線ＣＰＵがＧＰＳレシーバスイッチをオンにし、ＧＰＳレシーバを使用して位置情報を取得するといった技術があった（特許文献１参照。）。
【特許文献１】特開２００３−１０１１４５９号公報（第３頁、第２図）
【発明の開示】
【発明が解決しようとする課題】
【０００４】
しかしながら、特許文献１に開示された技術において、制御部ＣＰＵがアクティブモードでない場合、制御部ＣＰＵがアクティブではない分だけの省電力化が図れる反面、無線ＣＰＵおよび制御部ＣＰＵが共同して行うサービス処理の一つであるＧＰＳレシーバを使用して位置情報を取得することが不可能である。
【０００５】
そこで、本発明は、省電力化を図りつつＧＰＳ機能を有効とする情報処理装置および該情報処理装置にて実行される動作モードの切替え方法を提供することを目的とする。
【課題を解決するための手段】
【０００６】
上記目的を達成するために、請求項１に係る情報処理装置では、第１の動作モードおよび第２の動作モードのうちの何れかの動作モードにて動作する情報処理装置において、ＧＰＳ信号を受信する受信部と、受信部にて受信されたＧＰＳ信号に基づいて位置情報を取得する処理部と、処理部にて取得された位置情報を記憶する記憶部と、記憶部に記憶された位置情報を表示する表示部と、該情報処理装置が第１の動作モードで動作中には処理部と記憶部とに電源を供給し、該情報処理装置が第２の動作モードで動作中には処理部と記憶部と表示部とに電源を供給する電源制御部とを具備することを特徴とする。
【０００７】
また、請求項６記載の動作モードの切替え方法では、ＧＰＳ信号を受信する受信部と、受信部にて受信されたＧＰＳ信号に基づいて位置情報を取得する処理部と、処理部にて得られた位置情報を記憶する記憶部と、記憶部に記憶された位置情報を表示する表示部とを具備する情報処理装置にて実行される動作モードの切替え方法において、処理部と記憶部とに電源を供給する第１の動作モードおよび処理部と記憶部と表示部とに電源を供給する第２の動作モードのうちの何れかの動作モードに切替える切替えステップと、切替えステップにて第２の動作モードに切替えられた場合、記憶部に記憶された位置情報を表示部に表示させる表示ステップとを具備することを特徴とする。
【発明の効果】
【０００８】
本発明によれば、省電力を図りつつＧＰＳ機能を有効とする情報処理装置および該情報処理装置にて実行される動作モードの切替え方法を提供することが可能である。
【発明を実施するための最良の形態】
【０００９】
以下本発明に係る実施の形態を、図面を参照して説明する。本発明に係るＰＤＡに適用して説明する。
【００１０】
図１は、ＰＤＡ１のハードウェア構成を示したブロック図である。
【００１１】
ＣＰＵ（Central Processing Unit）１０にはＰＳＣ（Power Supply Controller）１１、ＬＣＤ（Liquid Crystal Display）１２、システムバス２２、ＣＦ（Compact Flash）カードスロット１６および入力装置２３が接続される。
【００１２】
ＣＰＵ１０はＰＤＡ１の動作を制御するプロセッサである。
【００１３】
ＬＣＤ１２にはＣＰＵ１０にて生成される表示信号が表示される。
【００１４】
システムバス２２にはＲＯＭ１３、ＲＡＭ１４およびバッファ（Ｂｕｆｆｅｒ）１８が接続される。
【００１５】
ＲＯＭ１３にはオペレーティングシステム（ＯＳ）、各種アプリケーション／ユーティリティプログラム、各種ドライバ等が記憶される。また、ＲＯＭ１３にはアプリケーションプログラム等を使用することで作成されたデータを記憶することも可能である。
【００１６】
ＲＡＭ１４にはＲＯＭ１３からシステムバス２２を介してロードされるオペレーティングシステム（ＯＳ）および各種アプリケーション／ユーティリティプログラム等がロードされる。ＲＡＭ１４にロードされたＯＳ、各種アプリケーション／ユーティリティプログラム等はＣＰＵ１０によって実行される。また、ＲＡＭ１４にはアプリケーションプログラム等を使用することで作成されたデータを記憶することも可能である。
【００１７】
ＣＦカードスロット１６にはカード型の装置であるＣＦカード１７が脱着される。ＣＦカード１７は例えばＧＰＳ装置である。ＣＦカード１７がＣＦカードスロット１６に装着されると、ＣＰＵ１０はＣＦカード１７が装着されたことを検知する。さらにＣＰＵ１０はＣＦカードスロット１６にＣＦカード１７が装着されたことをＰＳＣ１１へ通知し、ＰＳＣ１１はＰＤＡ１を構成するハードウェア群に電源を供給する。
【００１８】
ＣＦカード１７はＧＰＳ処理部１７１、ＲＡＭ１７２およびアンテナ１９で構成される。ＧＰＳ処理部１７１にはアンテナ１９、ＲＡＭ１７２が接続される。さらにＧＰＳ処理部１７１はＣＦカードスロット１６とバッファ１８とを介してバス２２と接続される。
【００１９】
ＧＰＳ処理部１７１は受信部であるアンテナ１９にて受信されたＧＰＳ信号を処理する。ＧＰＳ信号とはＧＰＳ衛星が送出する信号である。ＧＰＳ処理部１７１がＧＰＳ信号を処理することで、ＰＤＡ１が存在する位置情報を算出する。ＧＰＳ処理部１７１は算出された位置情報をＲＡＭ１７２に記憶させる。
【００２０】
また、ＧＰＳ処理部１７１はＣＦカードスロット１６を介してＰＳＣ１１に接続される。後述にて詳細に説明するが、ＰＤＡ１が所定の状態にある場合に、ＧＰＳ処理部１７１はＰＳＣ１１に電源制御信号を送信する。
【００２１】
バッファ１８は、ＣＦカード１７に電源供給を行いＲＯＭ１３、ＲＡＭ１４といったその他のハードウェアに電源供給を行わない場合に、ＣＦカード１７に供給される電流がバス２２に漏れるのを防ぐために設けられる。
【００２２】
入力装置２３は例えばＰＤＡ１の筐体に設けられるボタンである。例えば、ユーザが起動中のアプリケーションに対して所定の指示を出す（起動されているエディタを用いて編集中の文章をセーブする指示をユーザが出す等）場合、ユーザは入力装置２３を用いて所定の操作を行う。
【００２３】
ＰＳＣ１１には電源部１５、メインスイッチ（ＳＷ）２０およびＧＰＳスイッチ（ＳＷ）２１が接続される。ＰＳＣ１１はＰＤＡ１を構成する各ハードウェアに対する電力の供給を制御する。
【００２４】
電源部１５はＰＤＡ１を構成する各ハードウェアに供給される電源である。電源部１５としてＡＣ電源、二次電池等が考えられる。
【００２５】
メインスイッチ２０はＰＤＡ１を構成するハードウェア群、例えば図１に示されるＣＰＵ１０、ＬＣＤ１２、ＲＯＭ１３、ＲＡＭ１４、ＣＦカードスロット１６、ＣＦカード１７およびバス２２に電源を供給する際に使用される。ユーザはＰＤＡ１を使用開始する場合、メインスイッチ２０を例えば押下操作する。ＰＳＣ１１は、メインスイッチ２０が押下操作されたことを検知し、ＰＤＡ１を構成するハードウェア群に電源を供給する。後述にて説明するが、メインスイッチ２０の押下げ操作によって、ＰＤＡ１を構成するハードウェア群に電源が供給されたＰＤＡ１の状態のことをアクティブモードと称す。
【００２６】
ＧＰＳスイッチ２１は後述にて詳細に説明するが、例えばＰＤＡ１の動作モードをアクティブモードからスリープモードに移行させる場合、またはスリープモードからアクティブモードに移行させる場合等に操作される。次に、ＰＤＡ１の動作モードについて説明する。ＧＰＳスイッチ２１のタイプとして、例えばスライドタイプのスイッチが考えられる。
【００２７】
図２は、ＰＤＡ１の動作モードについて説明した図である。
【００２８】
ＰＤＡ１の動作モードの一つであるオフモードｓｔａ０とは、ＰＤＡ１が動作していない状態を指す。オフモードｓｔａ０の場合、ＰＳＣ１１に電源が供給されている。
【００２９】
オフモードｓｔａ０においてメインスイッチ２０の押下げ操作を行うと、アクティブモードｓｔａ１に移行する。
【００３０】
アクティブモードｓｔａ１とは、ＰＤＡ１が有する機能を十分に使用可能な状態を指す。アクティブモードｓｔａ１の場合、上述にて説明したとおり、ＰＤＡ１を構成するハードウェア群に電源が供給される。
【００３１】
アクティブモードｓｔａ１においてメインスイッチ２０の押下げ操作を行うと、オフモードｓｔａ０に移行する。また、アクティブモードｓｔａ１においてＧＰＳスイッチ２１のオン操作を行った後、メインスイッチ２０の押下げ操作を行うと、スリープモードｓｔａ２に移行する。
【００３２】
スリープモードｓｔａ２とは、ＰＤＡ１が有する機能の中で少なくとも、ＰＤＡ１が存在する位置情報を取得するＧＰＳ機能がオンである状態を指す。スリープモードｓｔａ２の場合、少なくともＰＳＣ１１、ＧＰＳ処理部１７１およびＲＡＭ１７２に電源が供給される。
【００３３】
スリープモードｓｔａ２においてＧＰＳスイッチ２１のオン操作を行った後、メインスイッチ２０の押下げ操作を行う、または、ＰＤＡ１が所定のエリアに移動すると、アクティブモードｓｔａ１に移行する。ＰＤＡ１が所定のエリアに移動すると、スリープモードｓｔａ２からアクティブモードｓｔａ１に移行する手順については、後述にて説明する。また、スリープモードｓｔａ２においてメインスイッチ２０の押下げ操作を行うと、オフモードｓｔａ０に移行する。次に、スリープモードｓｔａ２時においてＰＤＡ１が指定のエリアに移動するとスリープモードｓｔａ２からアクティブモードｓｔａ１に移行する手順について説明する。
【００３４】
図３は、スリープモードｓｔａ２時においてＰＤＡ１が指定のエリアに移動するとアクティブモードｓｔａ１に移行する手順を説明するフローチャートである。図４は、ＰＤＡ１の動作モードをスリープモードｓｔａ２からアクティブモードｓｔａ１に移行させるエリアを指定するためのアプリケーションのウィンドウ表示の一例を示す図である。図５は、経路案内情報を表示するためのアプリケーションのウィンドウ表示の一例を示す図である。図３乃至図５を用いて、以下、ＰＤＡ１が指定のエリアに移動するとスリープモードｓｔａ２からアクティブモードｓｔａ１に移行する手順を説明する。
【００３５】
ＰＤＡ１の動作モードがアクティブモードである場合、（ステップ  Ｓ１００  Ｙｅｓ）ユーザはＰＤＡ１動作モードをスリープモードｓｔａ２からユーザはアクティブモードｓｔａ１に移行させるエリアの指定を行うアプリケーション（以下、エリア指定アプリケーションと称す。）を起動する（ステップ  Ｓ１０１）。起動されたエリア指定アプリケーションのウィンドウ表示の一例は図４に示される。
【００３６】
ユーザはエリア指定アプリケーションのウィンドウに表示されるマップ上に、スリープモードｓｔａ２からユーザはアクティブモードｓｔａ１に移行させるエリアｄ１を指定する（ステップ  Ｓ１０２）。この指定の仕方は、例えばタッチペン等を用いてエリアｄ１を指定する方法、またはユーザの出発地および目的地を指定する方法等が考えられる。
【００３７】
ユーザはＯＫボタンを押すことで指定したエリアｄ１の情報を保存する。エリアｄ１の情報はＲＡＭ１７２に記憶される（ステップ  Ｓ１０３）。
【００３８】
エリアｄ１を設定後、ＰＤＡ１のＧＰＳ機能以外を使用しない場合は、ユーザは例えばＧＰＳスイッチ２１をオン操作することで、ＰＤＡ１の動作モードをスリープモードｓｔａ２に移行させる。
【００３９】
ＰＤＡ１の動作モードがスリープモードｓｔａ２である場合（ステップ  Ｓ１０４）、ＧＰＳ処理部１７１は、エリア指定アプリケーションによって指定されたエリア情報と、ＧＰＳ処理部１７１がＧＰＳ信号を処理することで算出し、ＲＡＭ１７２に記憶されたＰＤＡ１が存在する位置情報とを比較する（ステップ  Ｓ１０５）。
【００４０】
ＧＰＳ処理部１７１がＧＰＳ信号を処理することで算出し、ＲＡＭ１７２に記憶されたＰＤＡ１が存在する位置情報がエリア指定アプリケーションによって指定されたエリア情報と一致した場合（ステップ  Ｓ１０５  Ｙｅｓ）、ＧＰＳ処理部１７１がＰＳＣ１１に電源制御信号を通知することで、ＰＤＡ１の動作モードは、スリープモードｓｔａ２からアクティブモードｓｔａ１に移行される（ステップ  Ｓ１０６）。
【００４１】
ステップＳ１０６の処理後において、ユーザが位置情報を表示するアプリケーション（以下、位置情報表示アプリケーションと称す。）を起動した場合（ステップ  Ｓ１０７  Ｙｅｓ）、該アプリケーションが起動される。
【００４２】
位置情報表示アプリケーションが起動された状態で、ユーザが該アプリケーションに対して経路案内表示を指示すると、図５に示すように、位置情報表示アプリケーションは、ＧＰＳ処理部１７１によって処理されＲＡＭ１７２に記憶された位置情報を用いて、エリアｄ１内に入った現在地までの経路をマップ上に表示する（ステップ  Ｓ１０８）。
【００４３】
以上、説明したとおり、ＰＤＡ１の動作モードが電力を最も消費するモードであるアクティブモードｓｔａ１よりも省電力モードであるスリープモードｓｔａ２時においても、ＧＰＳ処理部１７１を駆動させＰＤＡ１が位置していた情報を取得しておくことで、ＰＤＡ１の動作モードがアクティブモードｓｔａ１時に移行した場合、この情報を利用して、ユーザに対して経路案内を行うことが可能となる。
【００４４】
なお、ＰＤＡ１の動作モードをアクティブモードｓｔａ１からスリープモードｓｔａ２に移行させる場合、ＧＰＳスイッチ２１のオン操作を行って移行させるのみならず、アクティブモードｓｔａ１時に起動可能な例えばＰＤＡ１の動作モードを変更させるユーティリティソフト等を用いて、アクティブモードｓｔａ１からスリープモードｓｔａ２に移行させてもよい。
【００４５】
また、エリア指定アプリケーションを用いて、スリープモードｓｔａ２からアクティブモードｓｔａ１に移行させるエリアｄ１を指定するのみならず、例えば目的地までの経路の中で方向変更となるポイント、名所であるポイント、または無線ＬＡＮサービス提供ポイントをはじめとするサービス提供ポイント等を指定してもよい。
【００４６】
さらに、位置情報表示アプリケーションはユーザによって起動されるのみならず、ＰＤＡ１の動作モードがスリープモードｓｔａ２からアクティブモードｓｔａ１に移行された場合、位置情報表示アプリケーションを自動的に起動してもよい。
【００４７】
さらに、ＰＤＡ１の動作モードがステップＳ１０６の処理によってスリープモードｓｔａ２から移行したアクティブモードｓｔａ１時において、ＧＰＳ処理部１７１がＧＰＳ信号を処理することで算出しＲＡＭ１７２に記憶されたＰＤＡ１が存在する位置情報とエリア指定アプリケーションによって指定されたエリア情報と一致しなくなった場合、ＰＤＡ１の動作モードをアクティブモードｓｔａ１からスリープモードｓｔａ２に移行してもよい。
【００４８】
さらに、ＰＤＡ１にアラーム手段を設け、ＰＤＡ１の動作モードがステップＳ１０６の処理によってスリープモードｓｔａ２からアクティブモードｓｔａ１に移行した場合に、ユーザに指定エリアに現在位置していることを該アラーム手段によってアラームを鳴らすことで報知してもよい。
【００４９】
本発明は上記実施形態をそのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示されている全構成要素から幾つかの構成要素を削除してもよい。さらに、異なる実施形態にわたる構成要素を適宜組み合わせてもよい。
【図面の簡単な説明】
【００５０】
【図１】ＰＤＡのハードウェア構成を示したブロック図。
【図２】ＰＤＡの動作モードについて説明した図。
【図３】スリープモード時においてＰＤＡが指定のエリアに移動するとアクティブモードに移行する手順を説明するフローチャート。
【図４】ＰＤＡの動作モードをスリープモードからアクティブモードに移行させるエリアを指定するためのアプリケーションのウィンドウ表示の一例を示す図。
【図５】経路案内情報を表示するためのアプリケーションのウィンドウ表示の一例を示す図。
【符号の説明】
【００５１】
１…ＰＤＡ、１０…ＣＰＵ、１１…ＰＳＣ、１２…ＬＣＤ、１３…ＲＯＭ、
１４…ＲＡＭ、１５…電源部、１６…ＣＦカードレシーバ、
１７…ＣＦカード、１８…バッファ、１９…アンテナ、
２０…メインスイッチ、２１…ＧＰＳスイッチ、２２…システムバス、
２３…入力装置、１７１…ＧＰＳ処理部、１７２…ＲＡＭ、
【図１】
2006017498.tif 000003
【図２】
2006017498.tif 000004
【図３】
2006017498.tif 000005
【図４】
2006017498.tif 000006
【図５】
2006017498.tif 000007